(57)【要約】【課題】  残った遊技球をより早く下皿に排出できるようにすること。【解決手段】  遊技者が遊技を中止するために球抜ボタンを操作すると、球抜ボタンに連結された移動部材が上皿底部のスライド板及びスライド板４１を伴って前方向に移動する。従って、上皿の整列路内を流下する遊技球は、底部の球抜口から落下して球抜通路を経由して排出口３０に達し、下皿に排出される。また、既に球送り装置１１の供給通路２９に導入済であった遊技球５０は、球抜口４２から落下して球抜通路４４を経由して排出口３０に達し、下皿に排出される。【選択図】  図９
2006026336.tif 000002
【特許請求の範囲】
【請求項１】
発射部に供給するための遊技球を保持する上皿と、
当該上皿の下方に設けられ、賞品球を保持するための下皿と、
前記上皿に連通し、当該上皿から送出された遊技球を前記発射部に導く供給通路を有する球送り装置とを備えた遊技機において、
前記上皿から前記下皿に連通し、球抜き操作により遊技球を前記上皿から前記下皿に排出する第一の球抜通路と、
前記上皿の底部に設けられ、当該第一の球抜通路に連通する第一の球抜口と、
当該第一の球抜口に設けられ、常には当該第一の球抜口を閉じる方向に付勢され、球抜き操作により前記第一の球抜口を開放する位置に移動可能な第一の可動板と、
前記球送り装置から前記下皿に連通する第二の球抜通路と、
前記供給通路の終端に設けられ、当該第二の球抜通路と連通する第二の球抜口と、
当該第二の球抜口に設けられ、常には当該第二の球抜口を閉じる方向に付勢され、球抜き操作により前記第二の球抜口を開放する位置に移動可能な第二の可動板とを備えたことを特徴とする遊技機。
【請求項２】
遊技球を下皿へ排出させる球抜き操作を遊技者が実施可能な操作部材を備え、
当該操作部材の操作と連動して、前記第一の可動板は前記第一の球抜口を開放する位置に移動するとともに前記第二の可動板は前記第二の球抜口を開放する位置に移動することを特徴とする請求項１に記載の遊技機。
【請求項３】
前記第一の可動板と前記第二の可動板とが一体成形されていることを特徴とする請求項２に記載の遊技機。
【発明の詳細な説明】
【技術分野】
【０００１】
本発明は、遊技機の球送り装置内の遊技球の排出に関するものである。
【背景技術】
【０００２】
一般に、パチンコ機のような遊技機では、上皿に保持した遊技球を前面枠の裏面側に設けられた球送り装置に導き、その球送り装置から１個ずつ発射レールの発射部に供給するような構造になっている。一方、上皿から球送り装置に至る経路には、球抜口が設けられ、その球抜口を覆うように配置されたスライド板を開放することにより、上皿内の遊技球を下皿に抜き取ることができるようになっている。
【０００３】
しかしながら、上記スライド板は、上皿から球送り装置に至る経路上の球抜口に設けられているため、既に球抜口を通過して球送り装置内に到達している遊技球はスライド板を開いても排出できない。このため、遊技者はいわゆるファウル球となる強さで遊技球を打って下皿に回収する操作を余儀なくされていた。
【０００４】
このような問題に対処するために、例えば、特許文献１では、パチンコ機の前面枠の裏面側に打球供給皿のパチンコ球を整列して導き出す供給通路部と該供給通路部のパチンコ球を発射部に供給する打球供給装置と下部貯留皿に連通する球抜通路部とを設け、供給通路部の終端と打球供給装置との間に球抜通路部と連通し、可動底板の配設された球抜口を設けている。さらに、打球供給装置の打球供給装置の供給制御部材の球止部上面は球抜口に向けて傾斜している。このため、球抜き操作によって可動底板が移動されると、打球供給皿のパチンコ球は供給通路部を流下して球抜口から球抜通路部に落下し下部貯留皿に抜き取られ、打球供給装置内に残ったパチンコ球は、球止部上面の傾斜により球抜通路部に転がり落ちて下部貯留皿に回収される。
【特許文献１】特許第３０４６７５３号公報
【発明の開示】
【発明が解決しようとする課題】
【０００５】
しかしながら、上記構成の遊技機では、球送り装置から下皿に遊技球が排出されるための通路は、上皿から遊技球が排出される通路に合流するため、排出の経路が１本しかなく、排出に比較的時間がかかることがあった。
【０００６】
本発明は上記問題を解決するためになされたものであり、残った遊技球をより早く下皿に排出できるようにすることを目的とする。
【課題を解決するための手段】
【０００７】
上記目的を達成するために、本発明の請求項１に記載の遊技機は、発射部に供給するための遊技球を保持する上皿と、当該上皿の下方に設けられ、賞品球を保持するための下皿と、前記上皿に連通し、当該上皿から送出された遊技球を前記発射部に導く供給通路を有する球送り装置とを備えた遊技機において、前記上皿から前記下皿に連通し、球抜き操作により遊技球を前記上皿から前記下皿に排出する第一の球抜通路と、前記上皿の底部に設けられ、当該第一の球抜通路に連通する第一の球抜口と、当該第一の球抜口に設けられ、常には当該第一の球抜口を閉じる方向に付勢され、球抜き操作により前記第一の球抜口を開放する位置に移動可能な第一の可動板と、前記球送り装置から前記下皿に連通する第二の球抜通路と、前記供給通路の終端に設けられ、当該第二の球抜通路と連通する第二の球抜口と、当該第二の球抜口に設けられ、常には当該第二の球抜口を閉じる方向に付勢され、球抜き操作により前記第二の球抜口を開放する位置に移動可能な第二の可動板とを備えている。
【０００８】
また、本発明の請求項２に記載の遊技機は、請求項１に記載の発明の構成に加え、遊技球を下皿へ排出させる球抜き操作を遊技者が実施可能な操作部材を備え、当該操作部材の操作と連動して、前記第一の可動板が前記第一の球抜口を開放する位置に移動するとともに前記第二の可動板が前記第二の球抜口を開放する位置に移動する。
【０００９】
また、本発明の請求項３に記載の遊技機は、請求項２に記載の発明の構成に加え、前記第一の可動板と前記第二の可動板とが一体成形されている。
【発明の効果】
【００１０】
本発明の請求項１に記載の遊技機によれば、球抜き操作がなされると、第一の可動板が移動して第一の球抜口が開放され、遊技球が上皿から第一の球抜通路を経由して下皿に排出される。同時に、第二の可動板が移動して第二の球抜口が開放され、遊技球が球送り装置から第二の球抜通路を経由して下皿に排出される。従って、１回の球抜き操作により全ての遊技球が下皿に排出できるとともに、２つの球抜通路を経由するため、より早く球抜きを完了することができる。
【００１１】
また、本発明の請求項２に記載の遊技機によれば、請求項１に記載の発明の効果に加え、操作部材を操作すると、第一の可動板が移動して第一の球抜口が開放され、遊技球が上皿から第一の球抜通路を経由して下皿に排出される。同時に、第二の可動板が移動して第二の球抜口が開放され、遊技球が球送り装置から第二の球抜通路を経由して下皿に排出される。従って、遊技者が操作部材を１度簡単に操作するだけで、遊技球の球抜きを早く行なうことができ、遊技の終了時にあまり時間を要することがない。
【００１２】
また、本発明の請求項３に記載の遊技機は、請求項２に記載の発明の効果に加え、第一の可動板と第二の可動板とが一体成形されているため、第一の可動板と第二の可動板とが簡単に連動し、遊技球の球抜きを早く行なうことができる。
【発明を実施するための最良の形態】
【００１３】
次に本発明を実施するための最良の形態について図面を参照して説明する。図１は、本発明の遊技機であるパチンコ機１の正面図である。図２はガラス枠３及び開閉パネル４を開放して示すパチンコ機１の下部部分の斜視図である。図３は、上皿５の部分拡大平面図である。図４は、開閉パネル４の裏面側の部分拡大図である。図５は、球送り装置１１の分解斜視図である。
【００１４】
図１に示すように、パチンコ機１には、上半分に遊技球が流下する遊技盤２が着脱自在に装着されている。この遊技盤２は略正方形であり、透明なガラス板を保持したガラス枠３で保護されている。なお、遊技盤２上には、図示しないが、各種の入賞口や飾り部品が適宜配設されている。遊技盤２の下方には、発射部（後述）に遊技球を供給し、かつ賞品球を受ける上皿５を有する開閉パネル４が開閉自在に設けられている。そして、上皿５の直下には、賞品球を受ける下皿６が設けられ、下皿６の右横には遊技球の発射を調整する発射ハンドル７が設けられている。また、上皿５の上面の右手側には、上皿５内の遊技球を下皿６に排出させるための操作部材である球抜ボタン８が設けられている。
【００１５】
また、図２に示すように、遊技盤２の下方には、遊技球を打撃して遊技盤２内に発射する発射部９が設けられている。そして、開閉パネル４の裏面には、上皿５内の遊技球を発射部９に導く球送り装置１１が配設されている。この球送り装置１１により、遊技球は１個ずつ発射部９に送られ、発射部９から遊技盤２内に向けて発射されるように構成されている。
【００１６】
上皿５は、図３に示すように、遊技球５０を貯留する幅広の貯留部（図示外）を一側に形成するとともに、その貯留部から次第に幅を狭くして最終的には遊技球５０が一列で流下できる整列路１２を貯留部と反対側に向けて下り傾斜させて形成されている。
【００１７】
そして、図３及び図４に示すように、整列路１２の下端は開閉パネル４の裏面に設けられた通過口１４に連通し、この通過口１４が球送り装置１１の供給通路２９に接続している。また、整列路１２の下端底部は、前後に移動可能なスライド板３８となっており、スライド板３８が引き込まれた状態の整列路１２の下端は、球抜口４３（図１１参照）となり、球抜口４３の下は開閉パネル４の裏面に連通する球抜通路１３となっている。球抜通路１３は球送り装置１１の排出口３０と接続し、球抜き時には遊技球を下皿６に排出する。ここで、球抜口４３が本発明の第一の球抜口に、球抜通路１３が本発明の第一の球抜通路に、スライド板３８が本発明の第一の可動板に相当する。
【００１８】
球送り装置１１は、図４及び図５に示すように、箱状のケース２１に収められた状態で開閉パネル４の裏側に取り付けられている。透明の樹脂製のケース２１は、本体部２２と、本体部２２に着脱もしくは開閉可能に取り付けられる３つの蓋部２３，２４，２５とからなっている。開閉パネル４に接する側の本体部２２の略中央には、通過口１４に連通する流入口２８が設けられている。そして、本体部２２の内部に、流入口２８から遊技球が流れるための下り傾斜させた供給通路２９が形成されている。また、供給通路２９の傾斜下端底部は、前後に移動可能なスライド板４１となっている。スライド板４１が引き込まれた状態の供給通路２９の傾斜下端底部は、球抜口４２となり、球抜口４２の下方には、球抜通路４４が緩やかに曲がって下に向かって形成され、球抜通路４４の終端には、下皿６に遊技球を排出する排出口３０が配設されている。ここで、球抜口４２が本発明の第二の球抜口に、球抜通路４４が本発明の第二の球抜通路に、スライド板４１が本発明の第二の可動板に相当する。
【００１９】
供給通路２９の傾斜下端に対向する位置には、球送り部材２７が配設され、球送り部材２７の上方に、電磁石２６が取り付けられている。球送り部材２７は、後端が本体部２２に軸支され、先端に遊技球を１球載せる球載せ部が形成されている。球送り部材２７の上部の電磁石２６と対向する位置には、電磁石２６が励磁されたときに球送り部材２７を上方に引き上げるための吸磁性部材である鉄板が固定されている。
【００２０】
次に、図６〜図８を参照して、上皿５及び球送り装置１１から下皿６に遊技球を排出する機構について説明する。図６は、開閉パネル４の部分拡大正面図である。図７は、図６の一点鎖線Ａ−Ａ’において矢視方向から見た断面図である。図８は、球抜ボタン８を押した状態における図６の一点鎖線Ａ−Ａ’において矢視方向から見た断面図である。
【００２１】
図６及び図７に示すように、球抜ボタン８は、ボタン部３１の下奥の軸３２を中心に下方向に回動可能に軸止されており、ボタン部３１の下部には、扇形のギア部３３が設けられている。ギア部３３の下方には、スライド板３８及びスライド板４１と一体成形された箱状の移動部材４０が配設されている。移動部材４０の中央には、遊技機１の前後方向を長手方向とする長孔が形成され、その長孔内には短手方向と平行に軸３７が形成されている。移動部材４０とギア部３３の間には、ギア部３３の駆動を移動部材４０に伝えるための伝達部材３４が配設されている。伝達部材３４は、上部に設けられたギア部３５がギア部３３に噛合い、回動可能に軸３６に軸止され、下部には軸３７に嵌合する長溝を有する軸受け部３９を有している。また、図示しないが、伝達部材３４から球抜ボタン８の下方にコイルばねが取り付けられており、このコイルばねにより、伝達部材３４は常に後方に付勢されることとなり、この付勢力が伝達部材３４のギア部３５からギア部３３に伝えられて球抜ボタン８は常に上方に付勢されることとなる。この状態では、軸受け部３９が後方に傾くため、移動部材４０は後方に位置し、スライド板３８及びスライド板４１も後方に位置してそれぞれに対応する球抜口４３及び球抜口４２を塞ぐこととなる。
【００２２】
一方、図８に示すように、球抜ボタン８を押圧すると、ギア部３３がギア部３５を回動させ、これに伴って軸受け部３９が前方向に揺動する。そして、軸３７が軸受け部３９に引っ張られるために、移動部材４０はスライド板３８及びスライド板４１を伴って前方向に移動する。このため、球抜口４３及び球抜口４２が開放される。
【００２３】
次に、図９〜図１２を参照して、上記の構成のパチンコ機１における作用について説明する。図９は、蓋部２３を取り除いた状態の球送り装置１１の正面図である。図１０は、図９の一点鎖線Ｂ−Ｂ’において矢視方向から見た断面図である。図１１は、球抜ボタン８を押した状態における上皿５の部分拡大平面図である。図１２は、球抜ボタン８を押した状態における図９の一点鎖線Ｂ−Ｂ’において矢視方向から見た断面図である。
【００２４】
遊技者が上皿５に遊技球５０を投入すると（図１参照）、これらの遊技球５０は整列路１２内を流下する途中で一列に整列され（図３参照）、開閉パネル４内の通過口１４（図４参照）を通って、図９に示すように、球送り装置１１の供給通路２９に導入され、図１０に示すように、先端の遊技球５０は球抜口４２を塞いでいるスライド板４１に達して停止する。遊技者が発射ハンドル７（図１参照）を操作すると、電磁石２６が所定時間励磁され、その磁力により球送り部材２７（図９参照）が上方に引きつけられて回動し、その球載せ部に遊技球５０を載置する。所定時間経過して電磁石２６が消磁すると、球送り部材２７は下降し、図示外の球供給口から発射部９（図２参照）に遊技球５０が供給され、発射部９において打撃されて遊技盤２（図１参照）内に飛入し、遊技に供される。
【００２５】
一方、上皿５に遊技球５０が残っている状態で、遊技者が遊技を中止するために球抜ボタン８を操作すると、図８に示すように、移動部材４０がスライド板３８及びスライド板４１を伴って前方向に移動する。従って、整列路１２内を流下する遊技球は、図１１に示すように、球抜口４３から落下して球抜通路１３を経由して排出口３０に達し（図９参照）、下皿６に排出される。また、既に球送り装置１１の供給通路２９に導入済であった遊技球５０は、図９に仮想線で、また、図１２に示すように、球抜口４２から落下して球抜通路４４を経由して排出口３０に達し、下皿６に排出される。
【００２６】
以上説明したように、本実施形態のパチンコ機１によれば、球抜ボタン８を操作すると、スライド板３８及びスライド板４１が移動するので、上皿５内の遊技球５０は球抜口４３から落下して球抜通路１３を経由し、球送り装置１１内の遊技球５０は球抜口４２から落下して球抜通路４４を経由して下皿６に排出される。２本の経路により遊技球を排出するため、より早く球抜きを完了することができる。
【００２７】
なお、上記実施の形態では、スライド板３８及びスライド板４１を移動部材４０と一体に形成して、同時に移動する構成としたが、特に一体に形成するものに限る必要はなく、スライド板３８及びスライド板４１それぞれに個別の動力伝達機構を設けてもよい。要は球抜ボタン８の押圧に伴って２つのスライド板がともに移動するように構成されていればよい。
【図面の簡単な説明】
【００２８】
【図１】本発明の遊技機であるパチンコ機１の正面図である。
【図２】ガラス枠３及び開閉パネル４を開放して示すパチンコ機１の下部部分の斜視図である。
【図３】上皿５の部分拡大平面図である。
【図４】開閉パネル４の裏面側の部分拡大図である。
【図５】球送り装置１１の分解斜視図である。
【図６】開閉パネル４の部分拡大正面図である。
【図７】図６の一点鎖線Ａ−Ａ’において矢視方向から見た断面図である。
【図８】球抜ボタン８を押した状態における図６の一点鎖線Ａ−Ａ’において矢視方向から見た断面図である。
【図９】蓋部２３を取り除いた状態の球送り装置１１の正面図である。
【図１０】図９の一点鎖線Ｂ−Ｂ’において矢視方向から見た断面図である。
【図１１】球抜ボタン８を押した状態における上皿５の部分拡大平面図である。
【図１２】球抜ボタン８を押した状態における図９の一点鎖線Ｂ−Ｂ’において矢視方向から見た断面図である。
【符号の説明】
【００２９】
１      パチンコ機
２      遊技盤
５      上皿
６      下皿
８      球抜ボタン
９      発射部
１１      球送り装置
１３      球抜通路（第一の球抜通路）
２９      供給通路
３１      ボタン部
３２      軸
３３      ギア部
３４      伝達部材
３５      ギア部
３６      軸
３７      軸
３８      スライド板（第一の可動板）
３９      軸受け部
４０      移動部材
４１      スライド板（第二の可動板）
４２      球抜口（第二の球抜口）
４３      球抜口（第一の球抜口）
４４      球抜通路（第二の球抜通路）
５０      遊技球
【図１】
2006026336.tif 000003
【図２】
2006026336.tif 000004
【図３】
2006026336.tif 000005
【図４】
2006026336.tif 000006
【図５】
2006026336.tif 000007
【図６】
2006026336.tif 000008
【図７】
2006026336.tif 000009
【図８】
2006026336.tif 000010
【図９】
2006026336.tif 000011
【図１０】
2006026336.tif 000012
【図１１】
2006026336.tif 000013
【図１２】
2006026336.tif 000014